(57)【要約】【課題】  シート状の１枚のＩＣカードを、単純かつ小さな構造物で海辺や雨天の野外でも支障なく親回路に接続でき、かつ取扱いできるようにする。【解決手段】  親回路基板700 と接続するコネクタコンタクト110 をその接点が弾性変位可能なように保持してＩＣカード600 を導入、保持収容してこれらを接続するカード収容接続部120 を設ける。シール用突起132 を備えたスリットが形成されたカード導入路シール部材130 を、カード収容接続部120 のカード導入口部分に配備し、その前側に、水滴除去用突起330 を備えたスリットが形成されたカード水滴排除部300 を配備する。カード導入路シール部材130 からカード収容接続部120 及び親回路基板700 にかけての周囲全体を気密状態にカバーするコネクタケース200 を設け、更にカード挿込み口をカバーするカード挿込み口用キャップ400 を付ける。【選択図】        図１
2005149730.tif 000002
【特許請求の範囲】
【請求項１】
表面に平板状の電気接点が形成されたＩＣカードを、カード挿込み口から挿し込んで親回路に電気的に接続するためのＩＣカード用コネクタであって、次の各構成を有することを特徴とするＩＣカード用コネクタ。
（イ）一端が前記親回路に接続され、他端側に弾性導電性部材で形成されて前記ＩＣカードの電気接点と接触接続するばね接点を備えたコネクタコンタクト
（ロ）前記コネクタコンタクトをそのばね接点部分が弾性変位可能なように保持し、かつ前記カード挿込み口から挿し込まれた前記ＩＣカードを導入して保持収容し、このＩＣカードの電気接点と前記コネクタコンタクトのばね接点とを弾性接触接続させるカード収容接続部
（ハ）前記ＩＣカードを前記カード収容接続部へと導き入れるカード導入用のスリットが形成されて前記カード収容接続部のカード導入口部分に配備され、前記スリット部分で、前記ＩＣカードの導入の有無に関わらず、前記カード収容接続部側の部分と前記カード挿込み口側の部分との間を封鎖状態に保つカード導入路シール部材
（ニ）前記コネクタコンタクト、前記カード収容接続部、及び前記カード導入路シール部材、並びに前記親回路の少なくともコネクタコンタクト接続部分を、前記カード導入路シール部材のスリットから前記ＩＣカードが導入可能なようにその周囲全体にわたって密封状態に覆うコネクタケース
（ホ）前記カード挿込み口及びこのカード挿込み口につながるカード挿入用スリットが形成されて前記カード導入路シール部材に密着して配備され、前記カード挿入用スリットの部分で、その奥へと導入されるＩＣカードの表面から水滴を拭い去るカード水滴排除部
【請求項２】
前記カード収容接続部が、挿入先端辺部分にその電気接点が形成されたＩＣカードに適合するように、前記ＩＣカードをその幅方向両辺部分で保持して導入する両側壁と、これら両側壁の最奥端間をつなぎ、かつ前記コネクタコンタクトをそのばね接点がＩＣカード導入側となるように保持する奥壁と、を備えた構造である、請求項１記載のＩＣカード用コネクタ。
【請求項３】
前記カード導入路シール部材が、そのカード導入用のスリットの部分に、このスリットを形成する２つの面それぞれから突出してその先端部分が互いに接触し、このスリットの前記ＩＣカード幅方向の全幅にわたって直線状に形成された弾性部材によるシール用突起を備えて形成され、これらシール用突起により、前記ＩＣカードが導入されているときにはこのＩＣカードをその表面側及び裏面側から挟み付け、ＩＣカード非導入時にはその先端部分を互いに接触し合って、前記カード収容接続部側の部分と前記カード挿込み口側の部分との間を封鎖状態とする構造である、請求項１または請求項２に記載のＩＣカード用コネクタ。
【請求項４】
前記カード水滴排除部が、そのカード挿入用スリットの部分に、このカード挿入用スリットを形成する２つの面のうちの少なくとも前記ＩＣカードの表面側となる面から突出して、その先端部分が、挿入されて来た前記ＩＣカードの表面全幅にわたって当接し、その奥へと導入される、ＩＣカードの表面から水滴を拭い去る弾性部材により形成された水滴除去用突起を備えた構造である、請求項１乃至請求項３のうちのいずれか１項に記載のＩＣカード用コネクタ。
【請求項５】
前記カード収容接続部が、そのカード導入口部分に、前記カード導入路シール部材を保持するシール部材保持壁を備えて成り、前記コネクタケースが、前記シール部材保持壁と密着してつながり、前記カード収容接続部、前記コネクタコンタクト、及び前記親回路の少なくともコネクタコンタクト接続部分を、その全周にわたって密封状態に覆う構造である、請求項１乃至請求項４のうちのいずれか１項に記載のＩＣカード用コネクタ。
【請求項６】
前記コネクタケースが、前記カード導入路シール部材を保持固定するカード挿入側部材保持部を備えて成る、請求項１乃至請求項４のうちのいずれか１項に記載のＩＣカード用コネクタ。
【発明の詳細な説明】
【技術分野】
【０００１】
本発明は、ＩＣカードを親回路に電気的に接続するためのＩＣカード用コネクタに関し、特に海辺や雨天の野外等でも使用できる、防水性を有するＩＣカード用コネクタに関する。
【背景技術】
【０００２】
ＩＣカードを海辺や雨天の野外等でも使用できるようにするには、そのコネクタ部分を含めて防水構造とする必要がある。このような防水構造を有するＩＣカードシステムの一例（第１の例）を図６（ａ）〜（ｅ）に示す。
このＩＣカードシステムは、親回路基板７００ｘに接続、搭載された親側コネクタ７５０ｘに、ＩＣカード６００ｘ内のコネクタ６３０ｘを嵌合、接続して、これら親回路基板７００ｘ、ＩＣカード６００ｘ間を電気的に接続するシステムであって、そのＩＣカード６００ｘの詳細は次のとおりである。
【０００３】
このＩＣカード６００ｘは、電子部品６６０ｘが搭載されて電子回路を形成する基板６５０ｘと、一端をこの基板６５０ｘの電極に接続し他端が親側コネクタ７５０ｘのコンタクトピン７５１ｘに接続するピン６３１ｘを備えたコネクタ６３０ｘと、これら基板６５０ｘ及びコネクタ６３０ｘを保持、固定して内側に収容するフレーム６７０ｘと、このフレーム６７０ｘの内側に収容されている基板６５０ｘ及びコネクタ６３０ｘをその表裏両面から覆う表パネル６８０ｘ及び裏パネル６９０ｘと、防水性及び絶縁性を有してコネクタ６３０ｘの嵌合面に接着され、親側コネクタ７５０ｘと嵌合時にはそのコンタクトピン７５１ｘがこれを貫通してコネクタ６３０ｘのピン６３１ｘと接続する。遮蔽板６４０ｘと、を備えた構成、構造となっている（例えば、特許文献１参照）。
【０００４】
すなわちこのＩＣカード６００ｘは、単にシート状の１枚のカードではなく、基板６５０ｘと、親回路への接続用のコネクタ６３０ｘと、これら外側全体を防水状態でカバーする部材と、を含んで構成される。従って、このＩＣカード６００ｘそのものは、雨天であっても野外で扱うことができる。
【０００５】
この第１の例では、遮蔽板６４０ｘがコネクタ６３０ｘの嵌合面に接着された構造となっているが、図７（ａ），（ｂ）に示された第２の例では、遮蔽板６４０ｙが、コネクタ６３０ｙの嵌合面を覆い、かつその上面及び下面に接触保持される断面コの字状を成して着脱可能なように形成されている。そして親側コネクタとの嵌合時には、遮蔽板６４０ｙがコネクタ６３０ｙから取り外されて、このコネクタ６３０ｙの反対側の辺部分に装着される構造となっている（例えば、特許文献２参照）。
【特許文献１】特開平１１−２９６６４１号公報（図１、図２、図４〜図６）
【特許文献２】特開平１１−２９６６４１号公報（図９（ａ）、図１０）
【発明の開示】
【発明が解決しようとする課題】
【０００６】
上述した背景技術におけるＩＣカードシステムは、ＩＣカード内に配備されたコネクタを、親回路基板７００ｘに実装された親側コネクタ７５０ｘに嵌合、接続させてこれらの間を電気的に接続するシステムであって、第１の例では、そのＩＣカード６００ｘが、電子回路を形成する基板６５０ｘと、この基板６５０ｘの電極と接続して親側コネクタ７５０ｘと嵌合、接続するコネクタ６３０ｘと、このコネクタ６３０ｘの嵌合面に接着された遮蔽板６４０ｘと、基板６５０ｘ及びコネクタ６３０ｘ全周を、遮蔽板６４０ｘと共に覆うフレーム６７０ｘ、表パネル６８０ｘ及び裏パネル６９０ｘと、を備えた構成、構造となっていて、ＩＣカード６００ｘそのものが、単なるシート状の１枚のカードではなく組立体となっていて、構造が複雑で全体が大きくなる上、シート状の１枚のカードに相当する部分を基板６５０ｘと見たてたとしても、これを保持、収容してコネクタにより嵌合接続する構造であるので、やはりその構造が複雑で大きくなる、という問題点がある。
【０００７】
また、この第１の例では、コネクタ６３０ｘの嵌合面に遮蔽板６４０ｘが接着されていて、このＩＣカード６００ｘそのものは防水構造であり、海辺や雨天の野外での取扱いは可能であるが、親側コネクタ７５０ｘは露出状態となっているので、海岸や雨天の野外でＩＣカード６００ｘを嵌合、接続しようとすると、この親側コネクタ７５０ｘに塩分や雨水が付着して、その動作に支障を来たす、という問題点がある。
【０００８】
また、第２の例では、コネクタ６３０ｙに断面コの字状の遮蔽板６４０ｙを覆せておき、嵌合接続時には、この遮蔽板６４０ｙを取り外して、コネクタ６４０ｙを親側コネクタ７５０ｘに嵌合接続する構成、構造となっているので、嵌合接続時に、コネクタ６３０ｙ及び親側コネクタ７５０ｘが露出状態となり、第１の例と同様の問題点がある。
【０００９】
本発明の目的は、これら背景技術における問題点を解消して、シート状の１枚のＩＣカードを、単純かつ小さな構造物で、海辺や雨天の野外でも親回路に支障なく接続でき、かつ取扱いができるＩＣカード用コネクタを提供することにある。
【課題を解決するための手段】
【００１０】
本発明のＩＣカード用コネクタは、表面に平板状の電気接点が形成されたＩＣカードを、カード挿込み口から挿し込んで親回路に電気的に接続するためのＩＣカード用コネクタであって、次の各構成を有することを特徴とする。
（イ）一端が前記親回路に接続され、他端側に弾性導電性部材で形成されて前記ＩＣカードの電気接点と接触接続するばね接点を備えたコネクタコンタクト
（ロ）前記コネクタコンタクトをそのばね接点部分が弾性変位可能なように保持し、かつ前記カード挿込み口から挿し込まれた前記ＩＣカードを導入して保持収容し、このＩＣカードの電気接点と前記コネクタコンタクトのばね接点とを弾性接触接続させるカード収容接続部
（ハ）前記ＩＣカードを前記カード収容接続部へと導き入れるカード導入用のスリットが形成されて前記カード収容接続部のカード導入口部分に配備され、前記スリット部分で、前記ＩＣカードの導入の有無に関わらず、前記カード収容接続部側の部分と前記カード挿込み口側の部分との間を封鎖するカード導入路シール部材
（ニ）前記コネクタコンタクト、前記カード収容接続部、及び前記カード導入路シール部材、並びに前記親回路の少なくともコネクタコンタクト接続部分を、前記カード導入路シール部材のスリットから前記ＩＣカードが導入可能なようにその全周にわたって密封状態に覆うコネクタケース
（ホ）前記カード挿込み口を含むカード挿入用スリットが形成されて前記カード導入路シール部材に密着して配備され、前記カード挿入用スリットの部分で、その奥へと導入されるＩＣカード表面から水滴を拭い去るカード水滴排除部
【００１１】
また、前記カード収容接続部が、挿入先端辺部分にその電気接点が形成されたＩＣカードに適合するように、前記ＩＣカードをその幅方向両辺部分で保持して導入する両側壁と、これら両側壁の最奥端間をつなぎ、かつ前記コネクタコンタクトをそのばね接点がＩＣカード導入側となるように保持する奥壁と、を備えた構造である、構成を有している。
【００１２】
また、前記カード導入路シール部材が、そのカード導入用のスリットの部分に、このスリットを形成する２つの面それぞれから突出してその先端部分が互いに接触し、このスリットの前記ＩＣカード幅方向の全幅にわたって直線状に形成された弾性部材によるシール用突起を備えて形成され、これらシール用突起により、前記ＩＣカードが導入されているときにはこのＩＣカードをその表面側及び裏面側から挟み付け、ＩＣカード非導入時にはその先端部分を互いに接触し合って、前記カード収容接続部側の部分と前記カード挿込み口側の部分との間を封鎖状態とする構造である、構成を有している。
【００１３】
また、前記カード水滴排除部が、そのカード挿入用スリットの部分に、このカード挿入用スリットを形成する２つの面のうちの少なくとも前記ＩＣカードの表面側となる面から突出して、その先端部分が、挿入されて来た前記ＩＣカードの表面全幅にわたって当接し、その奥へと導入される、ＩＣカードの表面から水滴を拭い去る弾性部材により形成された水滴除去用突起を備えた構造である、構成を有している。
【００１４】
また、前記カード収容接続部が、そのカード導入口部分に、前記カード導入路シール部材を保持するシール部材保持壁を備えて成り、前記コネクタケースが、前記シール部材保持壁と密着してつながり、前記カード収容接続部、前記コネクタコンタクト、及び前記親回路の少なくともコネクタコンタクト接続部分を、その全周にわたって密封状態に覆う構造である、構成を有している。
【００１５】
また、前記コネクタケースが、前記カード導入路シール部材を保持固定するカード挿入側部材保持部を備えて成る、構成を有している。
【発明の効果】
【００１６】
本発明のＩＣカード用コネクタは、シート状の１枚のＩＣカードを導入して保持、収容し、このＩＣカードの電気接点を、親回路と接続するコネクタコンタクトのばね接点に接続するカード収容接続部を備え、このカード収容接続部のカード導入口部分に、カード導入用のスリットが形成されたカード導入路シール部材を配備してこのスリット部分で、カード収容部側の部分とカード挿込み口側の部分との間を封鎖状態に保って、上記のコネクタコンタクト、ガード収容接続部、カード導入路シール部材、及び親回路の少なくともコネクタコンタクト接続部分の、周囲全体を、ＩＣカード導入口部分を除いて密封状態に覆うコネクタケースを設け、更に、カード導入路シール部材のカード導入口側に密着配備されてそのスリット部分で、その奥へと導入されるＩＣカードの表面から水滴を拭い去るカード水滴排除部材を設けた構成、構造となっているので、単純かつ小型な構造で、先ず、カード水滴排除部材により、挿入されて来たＩＣカードの水滴を除去し、続いて、更に導入されてコネクタコンタクトに接続されたＩＣカードの接続、保持収容部分、及びカード収容接続部の部分を、カード導入路シール部材及びコネクタケースにより、その外側から封鎖することができ、海辺や雨天の野外であっても、塩水や雨水の悪影響を受けことなく、支障なくＩＣカードを親回路に接続することができ、かつこれらを取り扱うことができる、という効果がある。
【発明を実施するための最良の形態】
【００１７】
本発明のＩＣカード用コネクタの最良の実施の形態は、表面に平板状の電気接点が形成されたＩＣカードを、カード挿込み口から挿し込んで親回路に電気的に接続するためのＩＣカード用コネクタであって、一端が前記親回路に接続され、他端側に弾性導電性部材で形成されて前記ＩＣカードの電気接点と接触接続するばね接点を備えたコネクタコンタクトと、
前記コネクタコンタクトをそのばね接点部分が弾性変位可能なように保持し、かつ前記カード挿込み口から挿し込まれた前記ＩＣカードを導入して保持収容し、このＩＣカードの電気接点と前記コネクタコンタクトのばね接点とを弾性接触接続させるカード収容接続部と、
前記ＩＣカードを前記カード収容接続部へと導き入れるカード導入用のスリットが形成されて前記カード収容接続部のカード導入口部分に配備され、前記スリット部分で、前記ＩＣカードの導入の有無に関わらず、前記カード収容接続部側の部分と前記カード挿込み口側の部分との間を封鎖状態に保つカード導入路シール部材と、
前記コネクタコンタクト、前記カード収容接続部、及び前記カード導入路シール部材、並びに前記親回路の少なくともコネクタコンタクト接続部分を、前記カード導入路シール部材のスリットから前記ＩＣカードが導入可能なようにその周囲全体にわたって密封状態に覆うコネクタケースと、
前記カード挿込み口及びこのカード挿込み口につながるカード挿入用スリットが形成されて前記カード導入路シール部材に密着して配備され、前記カード挿入用スリットの部分で、その奥へと導入されるＩＣカードの表面から水滴を拭い去るカード水滴排除部と、を有する構成、構造となっている。
【実施例１】
【００１８】
次に本発明の実施例について図面を参照して説明する。
図１（ａ）〜（ｃ）は本発明の実施例１を説明するための分解斜視図、分解側面図及び組立て状態の断面側面図、図２（ａ），（ｂ）はそのＩＣカード挿入前の斜視図及び断面側面図、図３（ａ），（ｂ）はそのＩＣカード挿入保持収容状態の斜視図及び断面側面図、図４（ａ）〜（ｃ）はそのＩＣカード挿入時の水滴排除動作及びシール動作を説明するための要部断面側面図である。
この実施例１は、シート状の１枚のＩＣカードを、カード挿込み口から挿し込んで親回路に電気的に接続するためのＩＣカード用コネクタであって、このＩＣカード６００には、その表面の挿入先端辺部分に平板状の複数の電気接点６１０が形成されており、親回路は、親回路基板７００に形成されていて、このＩＣカード用コネクタの各部の詳細は次のとおりである。
【００１９】
この実施例１におけるＩＣカード用コネクタは、一端が親回路基板７００に接続され、他端側に、ＩＣカード６００の複数の電気接点６１０と対応接続するばね接点１１１を備えて弾性導電性部材（例えば金属材料）で形成された複数のコネクタコンタクト１１０と、これら複数のコネクタコンタクト１１０を、そのばね接点１１１部分が弾性変位可能なように保持し、かつ、カード挿入口側から挿し込まれたＩＣカード６００を導入して保持、収容し、ＩＣカード６００の複数の電気接点と複数のコネクタコンタクト１１０のばね接点１１１とを対応して加圧接触接続させるカード収容接続部１２０と、ＩＣカード６００をカード収容接続部１２０へと導き入れるカード導入用スリット１３１が形成されてカード収容接続部１２０のカード導入口部分に配備され、このカード導入用スリット１３１部分で、ＩＣカードの有無に関わらず、カード収容接続部１２０側の部分とカード挿入口側の部分との間を封鎖状態に保つカード導入路シール部材１３０と、複数のコネクタコンタクト１１０、カード収容接続部１２０、及びカード導入路シール部材、並びに親回路基板７００を、カード導入路シール部材１３０のカード導入用スリット１３１からＩＣカード６００が導入可能なようにその周囲全体にわたって密封状態に覆うコネクタケース２００と、カード挿込み口３１０及びこれにつながるカード挿入用スリット３２０が形成されてカード導入路シール部材１３０に密着して配備され、カード挿入用スリット３２０の部分で、挿入されたＩＣカード６００に付着している水滴９００を拭い去るカード水滴排除部３００と、ＩＣカード６００が挿入されていない状態のときにカード挿込み口３１０部分を気密状態に覆うカード挿込み口用キャップ４００と、を有する構成、構造となっており、複数のコネクタコンタクト１１０、カード収容接続部１２０、及びカード導入路シール部材１３０により、コネクタ部１００を形成する。
【００２０】
次に、これら構成の更なる詳細について説明する。
カード収容接続部１２０は、ＩＣカード６００を導き入れるカード導入口１２１と、このカード導入口１２１につながるカード導入保持溝１２２が形成されて、挿入されてきたＩＣカード６００の幅方向両辺部分をガイド保持して更に導き入れる両側壁１２３と、これら両側壁１２３の最奥端間をつなぎ、かつ複数のコネクタコンタクト１１０をそのばね接点１１１が弾性変位可能なように保持する奥壁１２４と、カード導入口１２１部分にカード導入路シール部材１３０を保持固定するシール部材保持凹部１２５が形成されたシール部材保持壁１２６と、を備えて、両側壁１２３及び奥壁１２４部分は親回路基板７００の表面に配備されている。
【００２１】
カード導入路シール部材１３０は、そのカード導入用スリット１３１の部分に、このスリット（１３１）を形成する２つの面それぞれから突出してその先端部分が互いに接触し、このスリット（１３１）のＩＣカード６００幅方向の全幅にわたって直線状に形成されたシール用突起１３２を備えて弾性部材により形成され、このシール用突起１３２により、ＩＣカード６００が導入されているときにはこのＩＣカード６００をその表面側及び裏面側から挟み付け、ＩＣカード６００が導入されていない状態ではその先端部分が互いに接触し合って、カード収容接続部１２０側の部分とカード挿込み口側の部分との間を封鎖状態とする構造となっていて、カード収容接続部１２０の、シール部材保持壁１２６のシール部材保持凹部１２５に装着、固定される。
また、ＩＣカード６００が導入されていない状態でシール用突起１３２の先端部分が互いに接触しない構造とすることもでき、この場合には、カード挿込み口用キャップ４００（後述）を取り付けて防水等を行うようにする。
【００２２】
コネクタケース２００は、カード収容接続部１２０のシール部材保持壁１２６の周囲に設けられたカード挿入側ケース蓋部２２０と、このカード挿入側ケース蓋部２２０につながり、このケース蓋部（２２０）と共に、複数のコネクタコンタクト１１０、カード収容接続部１２０、カード導入路シール部材１３０、及び親回路基板７００全体を、ＩＣカード６００が導入可能なようにその周囲全体にわたって覆うケース本体２１０と、このケース本体２１０及びケース蓋部（２２０）で覆われた部分を気密状態とする、シール部材保持壁１２６・ケース蓋部（２２０）間のＯリング２３０と、を有する構造となっており、ケース本体２１０には、その両側壁部分の内側に、親回路基板７００の両辺部分をガイドする基板ガイド溝２１１が形成されている。
【００２３】
カード水滴排除部３００は、そのカード挿入用スリット３２０の部分の、このスリット（３２０）を形成する２つの面のうちのＩＣカード６００の表面側となる面に、この面のＩＣカード６００幅方向の全幅にわたってこの面から突出する水滴除去用突起３３０を備えて弾性部材により形成されて、この水滴除去用突起３３０が、挿入されて来たＩＣカード６００の表面に接触、掃引して、このＩＣカード６００の表面に付着していた水滴９００を排除する構造となっている。
【００２４】
カード挿込み口用キャップ４００は、その断面がコの字状に形成されて、その開口側がカード収容接続部１２０のシール部材保持壁１２６とコネクタケース２００のカード挿入側ケース蓋部２２０との間の隙間に挿入されて装着、保持される形状、構造となっており、ＩＣカード６００がこのＩＣカード用コネクタに挿入されないときには、これに装着されてカード挿込み口から水滴等が内部に浸入するのを防止する。
【００２５】
次に、この実施例１における、ＩＣカード挿入前後の各部の状態、シール動作、水滴排除動作等について説明する。
ＩＣカード６００が挿入されていない状態では、図２（ａ），（ｂ）に示すように、カード挿込み口用キャップ４００が装着された状態となっており、このカード挿込み口用キャップ４００により、カード挿込み口からの内側への水滴等の浸入を防ぎ、また、コネクタケース２００等により内部は気密状態に保持されるので、海辺や雨天の野外であっても、内側各部に悪影響を及ぼすことなく正常な状態を保ちつつ、取り扱うことができる。
【００２６】
ＩＣカード６００を挿入してこれを親回路基板７００と接続する場合には、図３（ａ），（ｂ）に示すように、まず、カード挿込み口用キャップ４００を取り外し、カード挿込み口３１０からＩＣカード６００を、その電気接点６１０形成側の辺を先端側にして挿し込み、この先端辺が奥壁１２４に当接するまで挿入する。その結果、ＩＣカード６００はカード収容接続部１２０内に保持され、その複数の電気接点６１０は複数のコネクタコンタクト１１０のばね接点に、弾性を有して加圧接触接続する。
【００２７】
このＩＣカード６００の挿入過程において、図４（ａ）〜（ｃ）に示すように、まず、ＩＣカード６００が挿し込まれる直前では、カード導入路シール部材１３０のシール用突起１３２がその先端部分を互いに接触させていて、コネクタケース２００と共に、カード収容接続部１２０内を気密状態に保持し（図４（ａ））、続いてＩＣカード６００がカード挿込み口３１０から挿し込まれると、カード水滴排除部３００の水滴除去用突起３３０により、ＩＣカード６００の表面に付着していた水滴９００が、その内側へと導入されるＩＣカード６００表面から拭い去られて（図４（ｂ））、このＩＣカード６００は更に奥へと挿し込まれ、カード導入路シール部材１３０のシール用の突起１３２により、このＩＣカード６００かその表面側及び裏面側から挟み付けられて、このシール用突起１３２の部分を境にしてこの突起１３２により、その内側（カード収容接続部１２０側）とその外側（カード挿込み口３１０側）との間がシールされる（図４（ｃ））。
【００２８】
このように、この実施例１では、ＩＣカード６００が挿入されない状態では、カード挿込み口用キャップ４００によりカード挿込み口３１０部分を塞いで水滴等が内部へ浸入するのを防止し、また、ＩＣカード６００を挿入する場合にはこのカード挿込み口用キャップ４００は取り外されるが、カード導入路シール部材１３０のシール用突起１３２により、その内側部分と外側部分との間がシールされて、水滴等がその内側への浸入するのを防止することができ、更に、ＩＣカード６００挿入時には、カード水滴排除部３００の水滴除去用突起３３０により、その内側へと導入されるＩＣカード６００表面から水滴等を除去し、かつシール用突起１３２でシールされるので、海辺や雨天の野外において、このＩＣカード用コネクタ自身、及びＩＣカード６００そのものに塩水、水滴等が付着したとしても、これら塩水、水滴等がカード収容接続部１２０内に浸入することなく、かつ親回路基板７００ごとシールされているため、その悪影響を受けることなく、支障なくＩＣカード６００を親回路に接続することができ、また、これらＩＣカード６００及びＩＣカード用コネクタを取り扱うことができる。
【実施例２】
【００２９】
図５（ａ），（ｂ）は本発明の実施例２を説明するための、２つの変形例を示すＩＣカード挿入保持状態の断面側面図である。
上述した実施例１では、カード収容接続部１２０が、そのカード導入口部分にカード導入路シール部材１３０を保持するシール部材保持壁１２６を有しており、コネクタケースが、シール部材保持壁１２６の周囲に、Ｏリング２３０を介して密着してつながる構造となっているのに対し、この実施例２では、コネクタケース２００ａ，２００ｂに、カード導入路シール部材１３０を直接保持固定し、かつケース本体２１０，２１０ａに対し蓋をする、カード挿入側部材保持・蓋部２４０，２４０ａを設けた構造となっている。即ち、実施例１におけるシール部材保持壁１２６をコネクタケースの蓋部分で兼用して、部品点数を少なくした構造となっている。
【００３０】
なお、図５（ａ）に示された例では、コネクタケース２００ａが、ケース本体２１０とカード挿入側部材保持・蓋部２４０とで構成され、図５（ｂ）に示された例では、ケース本体２１０ａにカード挿入側部材保持・蓋部２４０ａを一体形成して、このケース本体２１０ａがその底面側を開放状態とした形状となっており、この底面部分に、ケース底面側蓋部２１１を設けた構造となっている。また、その他の部分は実施例１と同様であり、その作用効果も実施例１と同様である。
【図面の簡単な説明】
【００３１】
【図１】本発明の実施例１を説明するための分解斜視図、分解側面図、及び組立状態の断面側面図である。
【図２】本発明の実施例１におけるＩＣカード挿入前の斜視図及び断面側面図である。
【図３】本発明の実施例１におけるＩＣカード挿入保持収容状態の斜視図及び断面側面図である。
【図４】本発明の実施例１におけるＩＣカード挿入時のシート動作及び水滴排除動作を説明するための要部断面側面図である。
【図５】本発明の実施例２を説明するための、２つの変形例を示すＩＣカード挿入保持状態の断面側面図である。
【図６】背景技術におけるＩＣカードシステムの第１の例を示す平面図、ＩＣカード部分の斜視図及び断面側面図、並びに接続動作を説明するための要部断面側面図である。
【図７】背景技術におけるＩＣカードシステムの第２の例の、ＩＣカード部分のコネクタ遮蔽板着脱動作を説明するための斜視図である。
【符号の説明】
【００３２】
１００，１００ａ  コネクタ部
１１０  コネクタコンタクト
１２０，１２０ａ  カード収容接続部
１２３  側壁
１２４  奥壁
１２６  シール部材保持壁
１３０  カード導入路シール部材
１３１  カード導入用スリット
１３２  シール用突起
２００，２００ａ，２００ｂ  コネクタケース
２１０，２１０ａ  ケース本体
２２０  カード挿入側ケース蓋部
２４０，２４０ａ  カード挿入側部材保持・蓋部
３００  カード水滴排除部
３１０  カード挿込み口
３２０  カード挿入用スリット
３３０  水滴除去用突起
４００，４００ａ，４００ｂ  カード挿込み口用キャップ
６００，６００ｘ，６００ｙ  ＩＣカード
６１０  電気接点
６３０ｘ，６３０ｙ  コネクタ
６４０ｘ，６４０ｙ  遮蔽板
６５０ｘ  基板
６６０ｘ  電子部品
６７０ｘ  フレーム
６８０ｘ  表パネル
６９０ｘ  裏パネル
７００，７００ｘ  親回路基板
７５０ｘ  親側コネクタ
【図１】
2005149730.tif 000003
【図２】
2005149730.tif 000004
【図３】
2005149730.tif 000005
【図４】
2005149730.tif 000006
【図５】
2005149730.tif 000007
【図６】
2005149730.tif 000008
【図７】
2005149730.tif 000009